(57)【要約】【課題】汚物タンクが汚物で一杯になったとき、新しい汚物タンクと交換できることで、汚物タンクから汚物を汲み取らなくても継続してトイレの使用をすることができ、どのような場所であっても設置することが可能な仮設トイレを提供することを目的とする。【解決手段】便器と、前記便器と用便部とを囲う遮蔽壁と、便器および遮蔽壁を下方から受けるとともに汚物タンクを有している架台とを備えた仮設トイレにおいて、前記架台が、架台本体と、この架台本体と着脱自在な着脱式汚物タンクとを備えていることを特徴とする構成とした。【選択図】      図１
2005065886.tif 000002
【特許請求の範囲】
【請求項１】
便器と、前記便器と用便部とを囲う遮蔽壁と、便器および遮蔽壁を下方から受けるとともに汚物タンクを有している架台とを備えた仮設トイレにおいて、
前記架台が、架台本体と、この架台本体と着脱自在な着脱式汚物タンクとを備えていることを特徴とする仮設トイレ。
【請求項２】
汚物タンクを架台本体から離接する方向にスライド移動させるローラー機構が設けられている請求項１に記載の仮設トイレ。
【請求項３】
便器を下方から受ける架台が、組み立て式の複数の架台構成部材により構成される架台本体と、前記架台本体から着脱自在な汚物タンクとを備えていることを特徴とする仮設トイレ。
【発明の詳細な説明】
【技術分野】
【０００１】
本発明は、工事現場や公園、イベントの開催場所等に仮設置される仮設トイレに関し、詳しくは、設置場所への輸送や設置、設置場所からの撤収、汚物の処理などを容易に行うことができるとともに、高密度に運搬および保管のできる仮設トイレに関する。
【背景技術】
【０００２】
従来、仮設トイレは、便器と、この便器および用便部を囲うように設けられている遮蔽壁と、遮蔽壁の上部に設けられている屋根部材と、便器および遮蔽壁を下方から受ける架台とが、一体に連結固定されている構成をしている。
また、仮設トイレは、汚物槽となる汚物タンクが、架台に一体となって設けられた構成をしている。（たとえば、特許文献１参照）
【０００３】
【特許文献１】特開平７−２２７３６８号公報
【０００４】
上記仮設トイレは、排便などによる汚物が下水に流されるのではなく、汚物タンクに溜まるようになっているため、収納できる汚物量にはある一定の限度があり、汚物タンク内の汚物が一定量に達したときには、バキュームカーなどを使用して、汚物タンクから汚物の汲み取りを行う必要がある。
【０００５】
しかし、汚物の汲み取りを行う作業を頻繁に行うと、手間がかかるだけでなく、コスト高となってしまうため、仮設トイレの管理コストが高くつくこととなってしまう。
したがって、汚物タンクは、汲み取りを行うまでの期間を伸ばすため、ある程度容量を大きくする必要があるが、汚物タンクの容量を大きくすると、架台と汚物タンクが一体となっているため、架台自体の大きさを大きくしなければならなくなってしまう。
【０００６】
このように架台の大きさを大きくすると、架台自体が汚物タンクと一体となっているため、架台自体を分解することができないことから、架台重量も重いままであり、設置されている仮設トイレを撤収する際に大きな労力が必要となり、クレーンなどの重機を使用したり、大人２〜３人で力を合わせたりして運搬などを行わなければならず、設備や人手などでコスト高の原因ともなっていた。
【０００７】
また、高層ビルの建設現場などに仮設トイレを設置する場合、高層階部分では、汚物の汲み取りを行うことができないため、小便専用の仮設トイレしか設置することができないという問題があった。
すなわち、従来の仮設トイレは、設置できる場所が限定され、汚物タンクが一杯になった後は汲み取りを行うまで使用することができなくなるなどの問題を有している。
【発明の開示】
【発明が解決しようとする課題】
【０００８】
そこで、本発明は、上記事情に鑑みて、仮設トイレにおいて、汚物タンクが汚物で一杯になったとき、新しい汚物タンクと交換できることで、汚物タンクから汚物を汲み取らなくても継続してトイレの使用をすることができ、どのような場所であっても設置することが可能な仮設トイレを提供することを目的としている。
【課題を解決するための手段】
【０００９】
上記目的を達成するために、本発明の請求項１にかかる仮設トイレ（以下、「請求項１の仮設トイレ」と記す。）は、便器と、前記便器と用便部とを囲う遮蔽壁と、便器および遮蔽壁を下方から受けるとともに汚物タンクを有している架台とを備えた仮設トイレにおいて、前記架台が、架台本体と、この架台本体と着脱自在な着脱式汚物タンクとを備えていることを特徴とする構成をしている。
【００１０】
また、本発明の請求項２にかかる仮設トイレ（以下、「請求項２の仮設トイレ」と記す。）は、請求項１の仮設トイレの構成に加えて、汚物タンクを架台本体から離接する方向にスライド移動させるローラー機構が設けられている構成をしている。
【００１１】
また、本発明の請求項３にかかる仮設トイレ（以下、「請求項３の仮設トイレ」と記す。）は、便器を下方から受ける架台が、組み立て式の複数の架台構成部材により構成される架台本体と、前記架台本体から着脱自在な汚物タンクとを備えていることを特徴とする構成とした。
【００１２】
上記構成において、本発明にかかる仮設トイレに用いられる便器は、洋式便器であっても和式便器であってもよく、特に限定されない。
ただし、和式トイレの場合、用便する際の足場を確保する必要があるため、和式便器の量側部分に上段床を設定する必要がある。
【００１３】
また、遮蔽壁は、便器および用便部を囲うようになっていれば、屋根が設けられていても、屋根が設けられていなくても良く、また、遮蔽壁の材質も樹脂や木、金属など特に限定されないが、たとえば、遮蔽壁がフレーム材とテント生地とにより構成されるようにすると、容易に仮設テントを組み立てることができるため好ましい。
また、請求項３の仮設トイレのように、遮蔽壁が設けられていない構成をしていても、既存のテント内に便器付きの架台を設置したり、木の枝などを利用して便器付きの架台を覆うように布などを垂らすようにしたりすることで仮設トイレを設置することは可能である。
【００１４】
また、架台は、汚物タンクを有しているとともに、仮設トイレの基礎部分として十分な強度を有していれば、材質や組み立て方などとくに限定されないが、たとえば、請求項３の仮設トイレのように、架台本体が組み立て式の複数の架台構成部材により構成されていると、仮設トイレの設置場所で架台の組み立てを容易に行うことが可能となり、架台構成部材を軽量なものとしたとき、車両などが入り込めない場所であっても、人力で容易に仮設トイレの設置を行うことができるため好ましい。このとき、複数の架台構成部材が、単純な構造をしていると、より仮設トイレの組み立てが容易に行えるため好ましい。
【００１５】
さらに、架台は、内部に水槽を備え、この水槽に水を入れることで重しとするような構造をしていると、架台を構成する材質が軽量であっても、安定して架台を設置することができるので好ましい。
このように水槽を設けた場合、水流ポンプなどを併用することで、水槽内の水を便器や汚物タンクの洗浄に利用することが可能となる。
【００１６】
また、汚物タンクは、架台本体と着脱自在となっておれば、どのような構成をしていても良く、特に限定されないが、架台の側面側方向に着脱自在となるようにすると、汚物が溜まって重くなった汚物タンクを取り出す操作が容易となるため、好ましい。このとき、請求項２の仮設トイレのように、ローラー機構が設けられていると、より小さな力で汚物タンクの着脱を行うことができるようになるため、さらに好ましい。
【００１７】
なお、請求項２のローラー機構としては、転動することで汚物タンクを移動させる働きを有するものをいい、たとえば、ローラーの他に、車輪、キャスターなどが挙げられる。
また、ローラー機構は、汚物タンク自身に直接設けられていても良いし、ローラーが設けられたローラー台を汚物タンクの下方に設置しても良いし、台車の台座部分を汚物タンクの下方に配置させるような構成をしていても良い。
さらにローラー機構としてローラーが架台本体に設けられたような構成をしていても構わない。
【発明の効果】
【００１８】
本発明にかかる請求項１の仮設トイレは、汚物タンクが着脱自在となっているため、汚物タンクが一杯になったとき、新しい汚物タンクに取り替えることが可能となり、汲み取りを行わなくても継続してトイレの使用が可能となる。したがって、バキュームカーなどの汲み取り手段が使えない場所であっても仮設トイレの設置ができる。
【００１９】
本発明にかかる請求項２の仮設トイレは、請求項１の仮設トイレの効果に加えて、ローラー機構が設けられているため、より少ない力で着脱操作を行うことが可能となり、たとえば、汚物で一杯の汚物タンクを架台本体から取り出すことも、大きな力を必要としなくても行うことが可能となる。
【００２０】
本発明にかかる請求項３の仮設トイレは、架台本体が、組み立て式の複数の架台構成部材により構成されているため、たとえば、車のトランクなどにテントなどと共に装備しておくと、高速道路が渋滞のときなど、路側帯に仮設トイレを容易に組み立て設置することができるようになる。
【発明を実施するための最良の形態】
【００２１】
以下に、本発明を、その実施の形態をあらわす図面を参照しつつ詳しく説明する。
図１は、本発明にかかる仮設トイレの１実施形態を示した側面視断面図である。
図１に示したように仮設トイレ１は、便器２と、遮蔽壁３と、架台４とを備えている。
【００２２】
便器２は、図１および図２に示したように、和式便器であって、架台４の上面前方に配置されている上段床７に挟まれるように設けられており、取っ手２０が設けられている。
また、便器２は、図６（ｂ）に示したように、下端落とし口２１と、菊割れパッキン２２が設けられた筒体２３とを備えている。
【００２３】
取っ手２０は、便器の前方部分に設けられ、用便を行う際の支持棒としての役割を有するとともに、仮設トイレを設置、撤去する際に、直接便器２に触れないでも上段床７から便器を着脱可能とするための持ち手としての役割も有している。
下端落とし口２１は、便器２に用便された糞尿の排出口となっており、筒体２３が連結されている。
【００２４】
菊割れパッキン２２は、ゴムなどの柔軟素材により形成され、図９に示したように、後述する汚物タンク５内の汚物が直接眼に触れにくくなるように筒体２３内に設けられている。
筒体２３は、一端が下端落とし口２１に取り付けられていると共に、他端が、後述する汚物タンク５のネジ溝付き筒穴５３内に臨んでいる。
【００２５】
遮蔽壁３は、便器２および排便部となる架台４の上面および上段床７を囲うように設けられた４枚の壁パネル３ａ、３ｂ、３ｃ、３ｄにより構成されている。
壁パネル３ａ〜３ｄは、合成樹脂、金属、木などの材質で形成されており、図１に示したように、それぞれの下端部が架台４の上面四辺端部に載置固定されているとともに、上端には、屋根部材８が被せられている。
また、便器２の後部側に配置されている壁パネル３ａには、仮設トイレ１の内外へ出入りするための扉３０が設けられている。
【００２６】
壁パネル３ａ〜３ｄは、図３に示したように、それぞれ下端に嵌合溝３１が設けられているとともに、締結金具３２を備えている。また、図４（ｂ）に示したように、上端にも締結金具３２を備えている。
また、壁パネル３ａ〜３ｄは、図４（ａ）に示したように、端部の高さ方向に沿って複数の止め金具３３と、この止め金具３３を固定する固定金具３４とを備えている。
【００２７】
嵌合溝３１は、後述する架台本体４０の突条４１と嵌合するようになっている。
また、下端に設けられている締結金具３２は、図４（ａ）に示したように、後述する架台本体４０に設けられている受け金具４２に係止されるようになっており、上端に設けられている締結金具３２は、図４（ｂ）に示したように、後述する屋根部材８の受け金具８０に係止されるようになっている。
止め金具３３は、一方の壁パネルと他方の壁パネルとが略垂直状態となるように固定するための金具であり、固定金具３４とともに使用することで隣接する壁パネル同士がコーナーが形成されるように固定されるようになっている。
【００２８】
なお、図５（ａ）に示したように、壁パネル３ａと３ｄとは、回転軸材３５により連結されており、図５（ｂ）に示したように、折り畳み可能となっている。
また、壁パネル３ｂと３ｃとは、回転軸材３６により連結されており、折り畳み可能となっている。
【００２９】
架台４は、図２および図９に示したように、合成樹脂製または金属製の箱型形状をしている架台本体４０と、汚物タンク５と、集臭ボックス９とを備えている。
架台本体４０は、図１および図３に示したように、上面四辺端部に沿って窪み４ａが形成されているとともに、窪み４ａ上に沿って設けられた突条４１と、受け金具４２とを備えている。
【００３０】
汚物タンク５は、４０〜５０リットルの容量をしており、図２および図６に示したように、ローラー５１を複数備えたローラー台５２上に載置され、図７に示したように、ネジ溝付き筒穴５３と、有孔蓋５４と、密閉蓋５５と、蓋嵌合凸部５６と、把手部５７と、汚物容量検知用目盛５８とを備えている。
【００３１】
ローラー５１は、図８（ａ）に示したように、回転軸がローラー台５２の長手方向と垂直となるよに並列して取り付けられており、ローラー台５２から着脱自在となっている。
ローラー台５２は、複数設けられているローラー５１により、載置する汚物タンク５のローラー台上での前後方向のスライド移動を容易に行えるようになっている。
また、ローラー台５２は、図８（ｂ）に示したように、車輪５１ａ、キャスター５１ｂ、手押しハンドル５１ｃを取り付けることで台車として使用することも可能となっている。
【００３２】
ネジ溝付き筒穴５３は、図７に示したように、汚物タンク５の上面に設けられており、汚物の導入口、汚物汲み取り時の汲み取り口、および汚物タンク内に溜まった汚物の臭気抜き取り用の孔とを兼用しており、有孔蓋５４と密閉蓋５５とのいずれも螺合できるようにネジ溝が切られている。
【００３３】
有孔蓋５４は、図２および図７に示したように、汚物タンク５の上面に設けられている蓋嵌合凸部５６に被せて汚物タンク５に取り付けられており、汚物で一杯になった汚物タンク５を架台本体４０から取り外して、一時的に保管する場合などに、ネジ溝付き筒穴５３に螺着するようになっている。また、有孔蓋５４は、汚物が発酵して生成したガスにより汚物タンク５が膨張することを防止するため、ガス抜き用の小孔（図示せず）が設けられている。
【００３４】
密閉蓋５５は、有孔蓋５４と同様に、蓋嵌合凸部５６に被せることで汚物タンク５に取り付けられており、汚物で一杯になった汚物タンク５を架台本体４０から取り外して、トラックの荷台などに積み込んで処理場へ移動させるときなどに、汚物タンク５内の汚物や臭いが外部に漏れ出さないように、ネジ溝付き筒穴５３に螺着して密閉することができるようになっている。
【００３５】
蓋嵌合凸部５６は、汚物タンク５の上面の三箇所に設けられており、それぞれに、有孔蓋５４および密閉蓋５５を嵌合することで、使用しない蓋が消失することを防ぐことができるようになっている。
なお、これらの蓋嵌合凸部５６は、いずれの場所にも密閉蓋５５および有孔蓋４３のどちらでも取り付けられるようになっており、使用する者の好みにより任意に蓋を嵌合しておけばよい。
【００３６】
把手部５７は、図７に示したように、汚物タンク５の四つの側面全てに設けられており、どの位置からも汚物タンク５を架台本体４０に着脱する際、手がかりとなるようになっている。
検知用目盛５８は、汚物タンク５内に汚物が溜まったかどうかを容易に識別することができるようになっている。
【００３７】
踏み台６は、架台４における遮蔽壁３の扉３０が設けられている側の側面に着脱自在に取り付けられるようになっており、外部から仮設トイレ１内に出入りする際のステップとしての役割を果たすようになっている。
上段床７は、上述したように、架台４の上面前方部分にり、左右に分割して、便器２を挟むようにして配置されるようになっており、排便する際の足場となる。
【００３８】
屋根部材８は、図１に示したように、架台４の上面四辺端部に載置固定されている遮蔽壁３の上方部分を覆うように取り付けられるようになっており、図４（ｂ）に示したように、受け金具８０を備えている。
受け金具８０は、壁パネル３ａ〜３ｄの上端に設けられている締結金具３２により、壁パネル３ａ〜３ｄにより構成された遮蔽壁３上に屋根部材８を固定係止するようになっている。
【００３９】
また、集臭ボックス９は、筒体２３の他端部と汚物タンク５のネジ溝付き筒穴５３との隙間を覆うように設けられている。
集臭ボックス９は、図９に示したように、少なくとも下方に配置される半円面部分がゴム弾性を有する軟質部材で形成された上端が平面となった半円柱状をしており、筒体２３が挿通されているとともに、側面部分に排気管９１が連通されている。
【００４０】
排気管９１は、仮設トイレ１の外部へと臨んでいる排気管エルボ９２に連結されている。
排気管エルボ９２は、仮設トイレ１の外部で上方に折れ曲がっており、仮設トイレ１の屋根部材８近傍位置に配置されているフード９４に連結されている。
また、排気管エルボ９２内には、電動式の換気扇９３が設けられており、集臭ボックス９からフード９４まで、図９（ａ）に示した矢印方向に空気を送るようになっている。
【００４１】
次に、仮設トイレ１が組み立てられる様子について説明する。
まず、中空の箱体からなる架台本体４０を用意する。
図５（ａ）に示した回転軸材３５により連結されている壁パネル３ａと３ｄ、回転軸材３６により連結されている壁パネル３ｂと３ｃをそれぞれ、架台本体４０の窪み４ａに沿って立てかける。このとき、突条４１に嵌合溝３１を嵌合させるとともに、締結金具３２と受け金具４２とを係止させて、壁パネル３ａ〜３ｄを架台本体４０に固定させる。
【００４２】
図４（ａ）に示したように、壁パネル３ｂ（３ｄ）の止め金具３３を壁パネル３ａ（３ｃ）に沿わせて、固定金具３４で固定して、遮蔽壁３を形成させる。
図４（ｂ）に示したように、遮蔽壁３の上部に屋根部材８を被せて、壁パネル３ａ〜３ｄの上端に設けられている締結金具３２と、屋根部材８に設けられている受け金具８０に係止させて屋根部材８を遮蔽壁３上に固定させる。
また、踏み台６を扉３０が設けられている側の架台本体４の側面に取り付ける。
【００４３】
架台本体４の上面には、上段床７を載置するとともに、この上段床７の間に便器２を設置する。上段床７は、図１に示したように分割されるようになっているため、この分割した上段床７に便器２が挟着されるようにして便器２を取り付ける。
図９に示したように、便器２の下方に集臭ボックス９を配置させるとともに、一端を便器２の下端落とし口２１に連結した筒体２３を、集臭ボックス９に挿通させる。
【００４４】
架台本体４０の内部にローラー５１が取り付けられたローラー台５２を載置し、ローラー台５２上をスライドさせて、ネジ溝付き筒穴５３が便器２の下端落とし口２１の下方に配置させるように汚物タンク５を移動し、筒体２３の他端をネジ溝付き筒穴５３の内部に臨ませる。
このとき、ネジ溝付き筒穴５３の上端が、集臭ボックス９の下端よりも上方に配置されるが、集臭ボックス９は軟質材料で構成されているため、集臭ボックス９の下端部分が変形して汚物タンク５の移動が阻害されることはない。
【００４５】
図９に示したように、集臭ボックス９に排気管９１を連結し、排気管９１に排気管エルボ９２を連結し、排気管エルボ９２にフード９４を連結する。
換気扇９３を作動させて、図９の矢印に示された方向に空気を移動させて、汚物タンク５内の臭気が仮設トイレ１内部に充満しないようにする。
【００４６】
以上のようにして、設置される仮設トイレ１は、使用により汚物タンク５が一杯となったら、把手部５８を持って汚物タンク５を、ローラー台５２上をスライドさせるようにして架台本体４０から取り出すとともに、新たな汚物タンク５を架台本体４０内に設置する。
取り出した汚物タンク５は、密閉蓋５５でネジ溝付き筒穴５３を密閉して保管しておく。このとき、汚物タンク５内の汚物は、堆肥として利用しても良いし、ある程度使用済みの汚物タンク５が溜まった時点で、まとめて汲み取りを行っても良い。
【００４７】
また、汚物タンク５の架台本体４０からの取り出しは、図８（ｂ）に示したように、ローラー台５２に車輪５１ａ、キャスター５１ｂ、手押しハンドル５１ｃを取り付けて、ローラー台５２を台車の荷載せ台部分として使用することにより、汚物タンク５を任意の場所に移動させる作業も、より容易に行うことが可能となる。
【００４８】
設置された仮設トイレ１を撤去するときは、まず、汚物タンク５を取り除き、その後、便器２、上段床７、踏み台６、屋根部材８、壁パネル３ａ〜３ｄ、架台本体４０と解体して、保管を行う。
【００４９】
以上のような構成をしている仮設トイレ１は、汚物タンク５が着脱自在となっているため、汚物タンク５が４０〜５０リットル程度の大きさであっても、汚物タンク５が一杯となれば新しい汚物タンク５に取り替えることで、汲み取りを行わなくても継続して使用することができる。
また、汚物タンク５の大きさを小さく抑えることができるため、分解したとき仮設トイレ１の嵩を小さく抑えることが可能となり、高密度で設置することができ、運搬や保管の際の効率性を向上させることもできる。
【００５０】
また、設置された仮設トイレ１を撤去するとき、汚物タンク５に汚物が入っていても、汚物タンク５のみを取り出すことができるため、いつでも分解作業を行うことができる。
また、各構成部材の取換えが可能であるため、たとえば、壁パネルの一部が損傷したときでも、その部分のみを取り替えるだけで済む。
【００５１】
さらに、仮設トイレ１は、便器２の下端落とし口２１は、直接汚物タンク５に繋がっているのではなく、集臭ボックス９に挿通された、筒体２３を経由させて汚物タンク５内に連結させるようにしているため、臭気が用便部に充満しにくくなっているため、快適に用便することができる。
また、筒体２３は、軟質樹脂により構成されているため、この筒体２３を振動させるような振動装置を設けることで、筒体２３内に用便が引っ掛かることも防ぐことができる。
【００５２】
なお、本発明にかかる仮設トイレは、上記実施の形態に限定されない。
上記実施の形態では、仮設トイレ１は、便器２として和式便器を使用していたが、たとえば、図１０に示した仮設トイレ１００ａにおける便器２００ａ、図１２に示した仮設トイレ１００ｃにおける便器２００ｃなどのように、洋式便器を使用しても構わない。
【００５３】
また、仮設トイレ１は、架台４の重しとなるものが特に使用されなかったが、図１０に示した架台部材４００ａ、４０１ａや、図１１に示した架台部材４００ｂ、４０１ｂなどのように、内部に水を充填させて重しとするようにしても構わない。
このようにすると、より軽量な材料で架台部分を形成できるにもかかわらず、安定した架台を構成することができ、しかも、撤収する際には、充填させた水を抜くことで、軽量な材質のみを運搬・保管するだけで済むため、取り扱いが容易となる。
【００５４】
また、図１２に示した仮設トイレ１００ｃのように、架台４００ｃが組み立て式の枠組み構造をしているとともに、遮蔽壁３００ｃがフレーム材３０１とテント生地（図示せず）とにより構成されている構成をしていると、人力のみで設置・撤収することも容易に行えるため、たとえば、車の入って来れないキャンプ場の仮設トイレや、地震などの大災害に見舞われた災害地域における仮設トイレとして使用するなどが可能となる。
【００５５】
また、図１０および図１１に示したように遮蔽壁が設けられていないタイプの仮設トイレ１００ａ、１００ｂは、市販されているテントなどの中に入れて使用したり、周囲に壁や柱、木など、所定以上の高さを有する物がある場合に、高所に布などの遮蔽部材を引っ掛けて、外部から便器および用便部が見えないようにすることで使用することが可能となる。
このようなタイプの仮設トイレは、架台本体が複数の架台構成部材から構成されているため、小さく収納することが可能となり、車のトランクなどに収納しておくことが可能となり、たとえば、高速道路が渋滞しているときなど、道路わきに、仮設トイレを容易に組み立て設置することができる。
【００５６】
なお、図１２において、符号３３０ｃは扉、４０１ｃは水槽部（重し）、４０２ｃは架台上面兼水槽の蓋部、４０６ｃは着脱式の踏み台、５００ｃは汚物タンクを示している。
また、上述したような形態以外の仮設トイレとしては、簡易式の手洗い場を設けるタイプや、脱臭装置がついていないタイプの仮設トイレなどが挙げられる。
さらに、仮設トイレが洋式便器の場合、便器の下方部分に空間を形成させ、この空間に脱臭装置を挿入するようにすることも可能である。
【００５７】
また、汚物タンク５のネジ溝付き筒穴５３には、図示していないが、ノズル付きの蓋を取り付けるようにしても構わない。
このようにすると、汚物タンク５内の汚物をより容易に処理することが可能となる。
【００５８】
さらに、仮設トイレ１００ａ、１１０ｂ、１００ｃのように、架台に水槽が設けられているタイプの仮設トイレは、水流ポンプ、ホースなどを用意しておくことで、仮設トイレの撤去時に、水槽内の水を便器や汚物タンクの洗浄に利用するようにしても構わない。
このようにすると、架台の重しとして使用された水を有効利用することができる。
【００５９】
本発明の仮設トイレにおいて、汚物タンクの大きさは、特に限定されず、適宜決定することが可能であるが、汚物タンクを取り替える手間と、汚物タンクの着脱の容易さとのバランスを考えて、４０リットル〜５０リットルていどの容量に設定することが好ましい。しかし、汚物タンクの容量を２０リットル程度の小さなものにすると、年寄りや子供であっても着脱を容易に行うことができるなど汚物タンクの大きさによりそれぞれの利点があるため、使用者に合わせて適宜汚物タンクの大きさを決定すればよい。
なお、小さい容量の汚物タンクを使用する場合、汚物タンクの汚物挿入口が便器の下端落とし口に取り付けられている筒体が臨むようにするために、高さ調節用の台などを使用することが好ましい。
【産業上の利用可能性】
【００６０】
本発明にかかる仮設トイレは、以上のように構成されているので、汚物タンクが一杯になっても、新しい汚物タンクの替えを用意しておくだけで、汲み取りを行わなくても汚物タンクを取り替えることにより継続して使用することが可能となるため、工事現場などに限らず、被災地などのバキュームカーなどが入って来れない場所に設置することが可能となる。
【図面の簡単な説明】
【００６１】
【図１】本発明にかかる仮設トイレの１実施形態を示した分解斜視図である。
【図２】図１に示した仮設トイレの側面視断面図である。
【図３】架台部分と遮蔽壁との取り付け構造の説明図である。
【図４】遮蔽壁を構成する壁パネル同士の取り付け、および壁パネルと屋根部材との取り付け構造の説明図である。
【図５】遮蔽壁を分解した状態を示した上面（下面）図である。
【図６】汚物タンクの取り付け状態を示した説明図である。
【図７】汚物タンクを示した斜視図である。
【図８】ローラー台およびこのローラー台を台車として利用した状態を示した斜視図である。
【図９】臭気ボックスの取り付け状態を示す説明図である。
【図１０】本発明にかかる仮設トイレの別の実施形態を示した側面視断面図である。
【図１１】本発明にかかる仮設トイレの別の実施形態を示した側面視断面図である。
【図１２】本発明にかかる仮設トイレの別の実施形態を示した側面視断面図である。
【符号の説明】
【００６２】
１          仮設トイレ
２          便器
３          遮蔽壁
４          架台
５          汚物タンク
６          踏み台
７          上段床
８          屋根部材
【図１】
2005065886.tif 000003
【図２】
2005065886.tif 000004
【図３】
2005065886.tif 000005
【図４】
2005065886.tif 000006
【図５】
2005065886.tif 000007
【図６】
2005065886.tif 000008
【図７】
2005065886.tif 000009
【図８】
2005065886.tif 000010
【図９】
2005065886.tif 000011
【図１０】
2005065886.tif 000012
【図１１】
2005065886.tif 000013
【図１２】
2005065886.tif 000014